(57)【要約】      （修正有）【課題】リスクやコストを抑えながら使用済燃料プールの仮置き場に置かれたプールゲートの落下を防止する。【解決手段】プールゲート落下防止治具３０は、本体部（フレーム）と、プール係合部（落下防止用座）と、ゲート係合部（スイングボルト）と、を備えている。本体部は、プールゲート２０の側面に設けられた突起部（支持棒２３）を載置するためのフック状の載置部（ゲート仮置き用金具１３）を有する使用済燃料プール１０の壁面に対向配置される部位である。プール係合部は、本体部の上端付近に設けられ、かつ、使用済燃料プールの上端部に係合する部位である。ゲート係合部は、本体部の上端付近に設けられ、かつ、載置部に載置されたプールゲートに係合する部位である。【選択図】図１
2020201198.tif 000002
【特許請求の範囲】
【請求項１】
プールゲートの側面に設けられた突起部を載置するためのフック状の載置部を有する使用済燃料プールの壁面に対向配置される本体部と、
前記本体部の上端付近に設けられ、かつ、前記使用済燃料プールの上端部に係合するプール係合部と、
前記本体部の上端付近に設けられ、かつ、前記載置部に載置された前記プールゲートに係合するゲート係合部と、を備える
ことを特徴とするプールゲート落下防止治具。
【請求項２】
請求項１に記載のプールゲート落下防止治具において、
前記プール係合部は、前記使用済燃料プールの上端部に係合可能なフック状に形成されており、
前記ゲート係合部は、前記プールゲートの上端部に設けられた溝に嵌合可能なスイングボルトで構成されている
ことを特徴とするプールゲート落下防止治具。
【請求項３】
請求項１又は請求項２に記載のプールゲート落下防止治具において、
前記本体部は、下端付近に、前記載置部を受け入れるための凹部を備えるとともに、前記凹部の直下の位置に、前記載置部の下面に当接する当接部を備え、
前記凹部は、前記本体部の側面方向に開口するように形成されており、
前記当接部は、前記使用済燃料プールの壁面から離間する方向に延びるように前記本体部に形成されており、かつ、前記当接部の上面は、前記凹部の底面と一体の面になっている
ことを特徴とするプールゲート落下防止治具。
【請求項４】
プールゲートの側面に設けられた突起部を載置するためのフック状の載置部を有する使用済燃料プールの壁面に対向配置される本体部と、
前記本体部の上端付近に設けられ、かつ、前記載置部に載置された前記プールゲートの上端部に係合するゲート係合部と、を備え、
前記本体部の下端付近には、前記載置部を通すための通し孔が形成されている
ことを特徴とするプールゲート落下防止治具。
【請求項５】
請求項４に記載のプールゲート落下防止治具において、
前記本体部の少なくとも上端付近に形成されたネジ部と、
前記ネジ部に取り付けられたナットと、を備え、
前記ゲート係合部は、前記ナットの下側の位置で、前記ネジ部に沿って前記本体部の長さ方向に移動可能に配置されている
ことを特徴とするプールゲート落下防止治具。
【請求項６】
プールゲートの上面に当接する下面を有する上部フレームと、
前記上部フレームの下側に配置された下部フレームと、
前記上部フレームと前記下部フレームとを連結する連結部材と、を備え、
前記下部フレームは、上面視でコ字状の形状を呈しており、
前記下部フレームの横方向端部は、前記プールゲートの側面に設けられた突起部と前記突起部が載置される使用済燃料プールのフック状の載置部とを受け入れるための受入部と、前記突起部を固定するための固定部と、を有する
ことを特徴とするプールゲート落下防止治具。
【請求項７】
請求項６に記載のプールゲート落下防止治具において、
前記固定部は、前記突起部に対して上から当接するように配置された締結ボルトで構成されている
ことを特徴とするプールゲート落下防止治具。
【請求項８】
請求項６又は請求項７に記載のプールゲート落下防止治具において、
前記上部フレームは、前記プールゲートの上面に設けられた取付部にボルトで固定される
ことを特徴とするプールゲート落下防止治具。
【発明の詳細な説明】
【技術分野】
【０００１】
本発明は、プールゲート落下防止治具に関する。
【背景技術】
【０００２】
沸騰水型の原子力発電プラントの中には、使用済燃料プールと原子炉ウェルとの間には、これらを仕切るためにプールゲートが設置されているものがある（例えば、特許文献１乃至特許文献３参照）。プールゲートは、取り付け及び取り外しが可能な構成になっており、原子力発電プラントの定期検査で核燃料の移動を行うときに、使用済燃料プールと原子炉ウェルとの間から取り外されて、使用済燃料プール内に設けられた仮置き場に一時的に置かれる。その仮置き場には、ゲート仮置き用金具が設けられている。仮置き場は、プールゲートの側面に設けられた突起部をゲート仮置き用金具に引っ掛けることで、プールゲートを載置して固定する構成になっている。
【先行技術文献】
【特許文献】
【０００３】
【特許文献１】特開２０１６−８８８３号公報
【特許文献２】特開平１１−１１８９８０号公報
【特許文献３】特開平９−１３８２９４号公報
【発明の概要】
【発明が解決しようとする課題】
【０００４】
ところで、原子力発電プラントでは、仮に定期検査中に大規模な地震が発生した場合に、使用済燃料プールに貯留されたプール水にスロッシング（振動によって激しく波打つ現象）が発生する。使用済燃料プール内の仮置き場に置かれたプールゲートは、そのスロッシングの影響でプール水の荷重を上方向に受けることで、ゲート仮置き用金具から外れてしまい、使用済燃料プール内に落下する可能性があった。そのため、原子力発電プラントは、プールゲートの落下を防止するための落下防止機構を使用済燃料プールの仮置き場に設置することが要望されていた。
【０００５】
この点について、今後建築される原子力発電プラントの使用済燃料プールの仮置き場に落下防止機構を設置することは、比較的容易である。しかしながら、既設の原子力発電プラントの仮置き場に落下防止機構を設置することは、以下のような仮置き場の改造作業が必要となるため、容易ではない。例えば、仮置き場の改造作業としては、壁面金属プレートの撤去作業、仮置き場のコンクリートを剥がす作業、比較的重量物である落下防止機構を仮置き場に搬入して設置する作業、仮置き場にコンクリートを再度打設する作業、壁面金属プレートの再施工作業等がある。このような仮置き場の改造作業は、核燃料破損や作業者被爆のリスクがあるほか、費用や手間、時間等のコストを要するため、容易ではない。そこで、リスクとコストを抑えながら仮置き場（特に既設の原子力発電プラントの仮置き場）に置かれたプールゲートの落下を防止することが要望されていた。
【０００６】
本発明は、前記した課題を解決するためになされたものであり、リスクとコストを抑えながら使用済燃料プールの仮置き場に置かれたプールゲートの落下を防止するプールゲート落下防止治具を提供することを主な目的とする。
【課題を解決するための手段】
【０００７】
前記目的を達成するため、第１発明は、プールゲート落下防止治具であって、プールゲートの側面に設けられた突起部を載置するためのフック状の載置部を有する使用済燃料プールの壁面に対向配置される本体部と、前記本体部の上端付近に設けられ、かつ、前記使用済燃料プールの上端部に係合するプール係合部と、前記本体部の上端付近に設けられ、かつ、前記載置部に載置された前記プールゲートに係合するゲート係合部と、を備える構成とする。
【０００８】
また、第２発明は、プールゲート落下防止治具であって、プールゲートの側面に設けられた突起部を載置するためのフック状の載置部を有する使用済燃料プールの壁面に対向配置される本体部と、前記本体部の上端付近に設けられ、かつ、前記載置部に載置された前記プールゲートの上端部に係合するゲート係合部と、を備え、前記本体部の下端付近には、前記載置部を通すための通し孔が形成されている構成とする。
【０００９】
また、第３発明は、プールゲート落下防止治具であって、プールゲートの上面に当接する下面を有する上部フレームと、前記上部フレームの下側に配置された下部フレームと、前記上部フレームと前記下部フレームとを連結する連結部材と、を備え、前記下部フレームは、上面視でコ字状の形状を呈しており、前記下部フレームの横方向端部は、前記プールゲートの側面に設けられた突起部と前記突起部が載置される使用済燃料プールのフック状の載置部とを受け入れるための受入部と、前記突起部を固定するための固定部と、を有する構成とする。
その他の手段は、後記する。
【発明の効果】
【００１０】
本発明によれば、リスクとコストを抑えながら使用済燃料プールの仮置き場に置かれたプールゲートの落下を防止することができる。
【図面の簡単な説明】
【００１１】
【図１】実施形態１に係るプールゲート落下防止治具の取付状態を示す概略図である。
【図２】実施形態１に係るプールゲート落下防止治具の構成を示す斜視図である。
【図３】実施形態２に係るプールゲート落下防止治具の取付状態を示す概略図である。
【図４】実施形態２に係るプールゲート落下防止治具の構成を示す斜視図である。
【図５】実施形態２に係るプールゲート落下防止治具の取付例を示す説明図である。
【図６】実施形態３に係るプールゲート落下防止治具の取付状態を示す概略図である。
【図７】実施形態３に係るプールゲート落下防止治具の構成を示す斜視図である。
【発明を実施するための形態】
【００１２】
以下、図面を参照して、本発明の実施の形態（以下、「本実施形態」と称する）について詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１３】
［実施形態１］
＜プールゲート落下防止治具の構成＞
以下、図１及び図２を参照して、本実施形態１に係るプールゲート落下防止治具３０の構成について説明する。図１は、プールゲート落下防止治具３０の取付状態を示す概略図である。図２は、プールゲート落下防止治具３０の構成を示す斜視図である。
【００１４】
図１に示すように、原子力発電プラントの使用済燃料プール１０の内部には、プールゲート２０を一時的に置くための仮置き場１１が設けられている。なお、図１に示す例では、使用済燃料プール１０の壁面の左側が内部側で、右側が外部側になっている。仮置き場１１は、使用済燃料プール１０の内部に複数箇所設けられている。
【００１５】
プールゲート２０は、使用済燃料プール１０と原子炉ウェル（図示せず）との間を仕切るための部材である。プールゲート２０は、縦長な略矩形の平板形状を呈している。プールゲート２０は、金属材によって頑丈に形成されている。
【００１６】
図１に示す例では、プールゲート２０の上端部には、２つの取付部２１と２つのスイングボルト用座２２が設けられている。取付部２１は、ボルトを取り付けるための取付孔２１ｏｐが設けられた平板状の部位であり、プールゲート２０の上面から上方向に突出するように形成されている。スイングボルト用座２２は、プールゲート落下防止治具３０のスイングボルト３４（図２参照）と係合させるための溝２２ｄｉが設けられた平板状の部位であり、プールゲート２０の上面の横方向端部から外側に突出するように形成されている。プールゲート２０の左右の両側面には、それぞれ、支持棒２３が設けられている。支持棒２３は、仮置き場１１のプール壁面１２に設けられたゲート仮置き用金具１３に引っ掛けるための突起部である。各支持棒２３は、円柱形状を呈しており、同じ高さ位置で、互いに逆向きに水平に突出するように設けられている。
【００１７】
使用済燃料プール１０は、内壁面として略平面状のプール壁面１２を有するとともに、上端部にプールの縁部である段差状のプールカーブ１４を有している。使用済燃料プール１０の仮置き場１１のプール壁面１２（内壁面）には、複数のゲート仮置き用金具１３が設けられている。ゲート仮置き用金具１３は、プールゲート２０の支持棒２３を引っ掛けて、プールゲート２０を載置して固定するため載置部である。ゲート仮置き用金具１３は、プールゲート２０の支持棒２３を引っ掛けるためのフックを上面に有している。複数のゲート仮置き用金具１３は、プールゲート２０の複数の支持棒２３に対応する位置に設けられている。ゲート仮置き用金具１３は、金属材によって頑丈に形成されている。
【００１８】
仮置き場１１は、プールゲート２０の左右の両側面に設けられた複数の支持棒２３を複数のゲート仮置き用金具１３に引っ掛けることで、プールゲート２０を載置して固定する。仮置き場１１には、プールゲート２０の落下を防止するためのプールゲート落下防止治具３０が取り付けられる。プールゲート落下防止治具３０は、好ましくは、金属材によって頑丈に形成されているとよい。
【００１９】
図２に示すように、プールゲート落下防止治具３０は、フレーム３１と、吊り金具３２と、落下防止用座３３と、スイングボルト３４と、下部受け座３５と、凹部３６と、を有している。
【００２０】
フレーム３１は、プール壁面１２に対向配置される本体部である。図２に示す例では、フレーム３１は、縦長な略矩形の平板形状を呈している。フレーム３１の長さは、少なくとも使用済燃料プール１０の上端部からゲート仮置き用金具１３の下端部までの距離よりも長くなっている（図１参照）。また、フレーム３１の横幅は、仮置き場１１のゲート仮置き用金具１３の横幅以上の幅になっている（図１参照）。
【００２１】
吊り金具３２は、ワイヤー１５（図１参照）やチェーン等で吊り下げるための部位である。図２に示す例では、吊り金具３２は、平板状に形成されている。吊り金具３２は、吊り金具３２は、フレーム３１の上端部から上方向に突出して設けられており、ワイヤー１５（図１参照）やチェーン等を取り付けるための取付孔３２ｏｐが設けられている。プールゲート落下防止治具３０は、ワイヤー１５（図１参照）やチェーン等を吊り金具３２に取り付けて固縛することで、取り回し時の落下を防止することができる。
【００２２】
落下防止用座３３は、使用済燃料プール１０の上端部に係合するプール係合部として機能する部位である。落下防止用座３３は、フック状の形状を呈しており、フレーム３１の上端付近に設けられている。落下防止用座３３は、フック状の先端部にカーブ固定板３３ａを有しており、カーブ固定板３３ａで使用済燃料プール１０の上端部のプールカーブ１４（図１参照）に係合する。
【００２３】
スイングボルト３４は、ゲート仮置き用金具１３に載置されたプールゲート２０に係合するゲート係合部として機能する部位である。スイングボルト３４は、フレーム３１の上端付近に、回動自在に設けられている。スイングボルト３４の固定端側は、ボルト３４ａとナット３４ｂで回動自在に軸支されている。スイングボルト３４の自由端側には、スリーブ３４ｃとナット３４ｄが取り付けられている。スリーブ３４ｃは、ゲート仮置き用金具１３に載置されたプールゲート２０のスイングボルト用座２２（図１参照）に設けられた溝２２ｄｉと噛み合う構造になっている。ナット３４ｄは、回転することで下降して、スリーブ３４ｃをプールゲート２０のスイングボルト用座２２（図１参照）に押し付ける。
【００２４】
下部受け座３５は、仮置き場１１のゲート仮置き用金具１３（図１参照）と当接する当接部として機能する部位である。下部受け座３５は、フレーム３１に設けられた凹部３６の直下の位置に設けられている。下部受け座３５は、使用済燃料プール１０のプール壁面１２（図１参照）から離間する方向に延びるようにフレーム３１に形成されている。下部受け座３５の上面は、凹部３６の底面と一体の面になっており、ゲート仮置き用金具１３の下面と当接する。プールゲート落下防止治具３０は、下部受け座３５の上面とフレーム３１との間に補強板３５ａを有しており、補強板３５ａで下部受け座３５の強度を確保している。
【００２５】
凹部３６は、仮置き場１１のゲート仮置き用金具１３（図１参照）を受け入れるための部位である。凹部３６は、フレーム３１の側面方向に開口するように形成されている。図１に示す例では、凹部３６は、コ字状の形状に形成されている。
【００２６】
＜プールゲート落下防止治具の取付方法＞
以下、図１及び図２を参照して、プールゲート落下防止治具３０の取付方法について説明する。なお、本実施形態１に係るプールゲート落下防止治具３０は、プールゲート２０を仮置き場１１に置く前と置いた後とのどちらの場合にも、仮置き場１１に取り付ける（設置する）ことができる。ここでは、一例として、プールゲート２０を仮置き場１１に置いた後に、プールゲート落下防止治具３０を仮置き場１１に取り付ける場合について説明する。また、ここでは、使用済燃料プール１０とプールゲート２０の構成については、図１を参照し、プールゲート落下防止治具３０の構成については、図２を参照するものとする。
【００２７】
作業者は、原子力発電プラントの定期検査時に、図示せぬクレーン装置に繋がれたワイヤー１５やチェーン等を使用済燃料プール１０と図示せぬ原子炉ウェルとの間に設置されたプールゲート２０に取り付ける。そして作業者は、クレーン装置を操作してプールゲート２０を吊り下げて使用済燃料プール１０と図示せぬ原子炉ウェルとの間から取り外し、取り外したプールゲート２０を仮置き場１１に一時的に置く。このとき、プールゲート２０の支持棒２３が仮置き場１１のゲート仮置き用金具１３に引っ掛けられて、プールゲート２０がゲート仮置き用金具１３に載置される。
【００２８】
次に、作業者は、図示せぬクレーン装置に繋がれたワイヤー１５やチェーン等をプールゲート落下防止治具３０の吊り金具３２に取り付け、クレーン装置を操作してプールゲート落下防止治具３０を吊り下げる。そして作業者は、ゲート仮置き用金具１３に載置されたプールゲート２０の側面に対向する位置にプールゲート落下防止治具３０を置く。このとき、プールゲート落下防止治具３０のフレーム３１がプール壁面１２に沿って配置される。また、プールゲート落下防止治具３０が落下しないように、プールゲート落下防止治具３０の落下防止用座３３がプールカーブ１４に引っ掛けられる。
【００２９】
次に、作業者は、クレーン装置を操作して、プールゲート落下防止治具３０の落下防止用座３３をプールカーブ１４に引っ掛けた状態で、プールゲート落下防止治具３０をプールゲート２０の方向にスライド移動させる。このとき、仮置き場１１のゲート仮置き用金具１３がプールゲート落下防止治具３０の凹部３６に入り込む。プールゲート落下防止治具３０は、凹部３６の側面でゲート仮置き用金具１３の側面と当接するとともに、下部受け座３５でゲート仮置き用金具１３の下面と当接する。
【００３０】
次に、作業者は、プールゲート落下防止治具３０のスイングボルト３４を上方向に回動させて、スイングボルト３４のスリーブ３４ｃをプールゲート２０のスイングボルト用座２２に設けられた溝２２ｄｉに挿入する。
【００３１】
次に、作業者は、スイングボルト３４のナット３４ｄを回転させることで、ナット３４ｄを下降させて、スイングボルト３４のスリーブ３４ｃをプールゲート２０のスイングボルト用座２２に押し付ける。
【００３２】
このとき、プールゲート落下防止治具３０は、プールゲート２０を下方向に押圧する。これによって、プールゲート２０の支持棒２３が仮置き場１１のゲート仮置き用金具１３に押し付けられる。その結果、プールゲート２０が仮置き場１１に強固に固定される。
【００３３】
また、このとき、落下防止用座３３がプールカーブ１４に引っ掛けられているとともに、スイングボルト３４から下方向の圧力がプールゲート落下防止治具３０のフレーム３１にかかる。そのため、プールゲート落下防止治具３０は、仮置き場１１に強固に固定される。
【００３４】
このようなプールゲート落下防止治具３０は、仮に定期検査中に大規模な地震が発生して、プール水のスロッシングの影響で上方向のプール水の荷重がプールゲート２０にかかることがあったとしても、プール水の荷重を受け止めることができる。そのため、プールゲート落下防止治具３０は、プールゲート２０の落下を防止することができる。
【００３５】
＜プールゲート落下防止治具の主な特徴＞
（１）本実施形態に係るプールゲート落下防止治具３０は、フレーム３１と、落下防止用座３３と、スイングボルト３４と、を備えている。フレーム３１は、プール壁面１２に対向配置される本体部である。落下防止用座３３は、使用済燃料プール１０の上端部のプールカーブ１４に係合するプール係合部である。スイングボルト３４は、ゲート仮置き用金具１３（載置部）に載置されたプールゲート２０の支持棒２３（突起部）に係合するゲート係合部である。
【００３６】
このようなプールゲート落下防止治具３０は、仮に定期検査中に大規模な地震が発生して、プール水のスロッシングの影響で上方向のプール水の荷重がプールゲート２０にかかることがあったとしても、プール水の荷重を受け止めることができる。そのため、プールゲート落下防止治具３０は、プールゲート２０の落下を防止することができる。
【００３７】
また、プールゲート落下防止治具３０は、仮置き場１１を改造することなく、仮置き場１１に取り付ける（設置する）ことができる。そのため、プールゲート落下防止治具３０は、仮置き場１１を改造することによる核燃料破損や作業者被爆のリスクや、費用や手間、時間等のコストを削減することができる。その結果、プールゲート落下防止治具３０は、リスクやコストを抑えながら仮置き場１１（特に既設の原子力発電プラントの仮置き場１１）に取り付けることができる。しかも、プールゲート落下防止治具３０は、原子力発電プラントのオペレーションフロア（作業フロア）から取り付けることができるため、作業者の手間を軽減することができる。
【００３８】
また、プールゲート落下防止治具３０は、簡素な構成であるため、軽量に構成することができる。そのため、作業者は、プールゲート落下防止治具３０を仮置き場１１に容易に取り付けることができる。
【００３９】
（２）落下防止用座３３（プール係合部）は、使用済燃料プール１０の上端部のプールカーブ１４に係合可能なフック状に形成されている。スイングボルト３４は、プールゲート２０の上端部のスイングボルト用座２２に設けられた溝２２ｄｉに嵌合可能な構成になっている。
【００４０】
このようなプールゲート落下防止治具３０は、落下防止用座３３でプールカーブ１４に引っ掛けて落下を防止する構造となっている。また、プールゲート落下防止治具３０は、スイングボルト３４のナット３４ｄを回転させて下降させることで、プールゲート２０を下方向に押圧して、プールゲート２０の支持棒２３を仮置き場１１のゲート仮置き用金具１３に押し付けることができる。これにより、プールゲート落下防止治具３０は、プールゲート２０を仮置き場１１に強固に固定して、プールゲート２０の落下を防止することができる。
【００４１】
（３）フレーム３１（本体部）は、下端付近に、ゲート仮置き用金具１３（載置部）を受け入れるための凹部３６を備えるとともに、凹部３６の直下の位置に、ゲート仮置き用金具１３の下面に当接する当接部としての下部受け座３５を備えている。凹部３６は、フレーム３１の側面方向に開口するように形成されている。下部受け座３５（当接部）は、使用済燃料プール１０の壁面から離間する方向に延びるようにフレーム３１に形成されている。下部受け座３５の上面は、凹部３６の底面と一体の面になっている。
【００４２】
このようなプールゲート落下防止治具３０は、横方向にスライド移動させることで、仮置き場１１の所望の場所に容易に配置することができる。そのため、作業者の手間を軽減することができる。
【００４３】
以上の通り、本実施形態１に係るプールゲート落下防止治具３０によれば、リスクやコストを抑えながら使用済燃料プール１０の仮置き場１１に置かれたプールゲート２０の落下を防止することができる。
【００４４】
［実施形態２］
＜プールゲート落下防止治具の構成＞
以下、図３乃至図５を参照して、本実施形態２に係るプールゲート落下防止治具３０Ａの構成について説明する。図３は、プールゲート落下防止治具３０Ａの取付状態を示す概略図である。図４は、プールゲート落下防止治具３０Ａの構成を示す斜視図である。図５は、プールゲート落下防止治具３０Ａの取付例を示す説明図である。
【００４５】
図３に示すように、使用済燃料プール１０の仮置き場１１には、プールゲート２０の落下を防止するためのプールゲート落下防止治具３０Ａが取り付けられる。プールゲート落下防止治具３０Ａは、ゲート仮置き用金具１３を通すための通し孔４６（図４参照）を有する治具である。プールゲート落下防止治具３０Ａは、好ましくは、金属材によって頑丈に形成されているとよい。
【００４６】
図４に示すように、プールゲート落下防止治具３０Ａは、ロッド４１と、吊り金具４２と、押付け座４３と、下部受け座４５と、通し孔４６と、を有している。
【００４７】
ロッド４１は、プール壁面１２に対向配置される本体部である。図４に示す例では、ロッド４１は、上部側が縦長の円柱形状で、かつ、下部側が平板形状を呈している。ロッド４１の長さは、少なくとも使用済燃料プール１０の上端部からゲート仮置き用金具１３の下端部までの距離よりも長くなっている（図３参照）。ロッド４１の少なくとも上端付近には、ネジ部４１ａが形成されている。ネジ部４１ａには、押付け座４３とスリーブ４７と締付ナット４８とが取り付けられている。また、ロッド４１の下端付近には、通し孔４６が形成されている。
【００４８】
吊り金具４２は、ワイヤー１５（図３参照）やチェーン等で吊り下げるための部位である。図４に示す例では、吊り金具４２は、リング状に形成されている。吊り金具４２は、ロッド４１の上端に設けられている。プールゲート落下防止治具３０Ａは、ワイヤー１５（図３参照）やチェーン等を吊り金具４２に取り付けて固縛することで、取り回し時の落下を防止することができる。
【００４９】
押付け座４３は、ゲート仮置き用金具１３に載置されたプールゲート２０に係合するゲート係合部として機能する部位である。押付け座４３は、ロッド４１のネジ部４１ａに取り付けられており、ネジ部４１ａに沿ってロッド４１の長さ方向に移動可能に配置されている。押付け座４３の上には、スリーブ４７と締付ナット４８とが取り付けられている。押付け座４３は、フック状の形状を呈しており、フック状の内側部分にプールゲート２０の溝２２ｄｉと噛み合うガイド４４を有している。ガイド４４は、平板形状を呈しており、ロッド４１に対して平行になるように配置されている。押付け座４３は、プールゲート２０を下方向に押圧することが可能な厚さを有している。プールゲート落下防止治具３０Ａでは、締付ナット４８が回転することで下降して押付け座４３をプールゲート２０の上面に押し付ける。
【００５０】
下部受け座４５は、仮置き場１１のゲート仮置き用金具１３（図３参照）と当接する当接部として機能する部位である。下部受け座４５は、ロッド４１に設けられた通し孔４６の直下の位置に設けられている。下部受け座４５は、使用済燃料プール１０のプール壁面１２（図３参照）から離間する方向に延びるようにロッド４１に形成されている。下部受け座４５の上面は、通し孔４６の底面と一体の面になっており、ゲート仮置き用金具１３の下面と当接する。プールゲート落下防止治具３０Ａは、下部受け座４５の下面とロッド４１との間に補強板４５ａを有しており、補強板４５ａで下部受け座４５の強度を確保している。
【００５１】
通し孔４６は、仮置き場１１のゲート仮置き用金具１３（図３参照）を通すために形成された貫通孔である。通し孔４６は、使用済燃料プール１０の仮置き場１１に係合するプール係合部として機能する。
【００５２】
＜プールゲート落下防止治具の取付方法＞
以下、図３乃至図５を参照して、プールゲート落下防止治具３０Ａの取付方法について説明する。図５は、プールゲート落下防止治具３０Ａの取付例を示す説明図である。本実施形態２に係るプールゲート落下防止治具３０Ａは、仮置き場１１にプールゲート２０を置く前に、仮置き場１１に取り付けられる（設置される）。ここでは、使用済燃料プール１０とプールゲート２０の構成については、図３を参照し、プールゲート落下防止治具３０Ａの構成については、図４を参照するものとする。
【００５３】
作業者は、原子力発電プラントの定期検査時に、図示せぬクレーン装置に繋がれたワイヤー１５やチェーン等をプールゲート落下防止治具３０Ａの吊り金具４２に取り付け、クレーン装置を操作してプールゲート落下防止治具３０Ａを吊り下げる。そして作業者は、クレーン装置を操作して、仮置き場１１のゲート仮置き用金具１３（図３参照）をプールゲート落下防止治具３０Ａの通し孔４６に通して、プールゲート落下防止治具３０Ａを仮置き場１１に置く。このとき、プールゲート落下防止治具３０Ａのロッド４１がプール壁面１２に沿って配置される。また、プールゲート落下防止治具３０Ａが落下しないように、通し孔４６に通された仮置き場１１のゲート仮置き用金具１３とプールゲート落下防止治具３０Ａの吊り金具４２に取り付けられたワイヤー１５やチェーン等がプールゲート落下防止治具３０Ａを支持する。
【００５４】
次に、作業者は、図示せぬクレーン装置に繋がれたワイヤー１５やチェーン等を使用済燃料プール１０と図示せぬ原子炉ウェルとの間に設置されたプールゲート２０に取り付ける。そして作業者は、クレーン装置を操作してプールゲート２０を吊り下げて使用済燃料プール１０と図示せぬ原子炉ウェルとの間から取り外し、取り外したプールゲート２０を仮置き場１１に一時的に置く。このとき、プールゲート２０の支持棒２３が仮置き場１１のゲート仮置き用金具１３に引っ掛けられて、プールゲート２０がゲート仮置き用金具１３に載置される。
【００５５】
次に、作業者は、プールゲート落下防止治具３０Ａの締付ナット４８を回転させることで（図５の矢印Ａ１１参照）、締付ナット４８を下降させて（図５の矢印Ａ１２参照）、押付け座４３をプールゲート２０のスイングボルト用座２２に押し付ける。
【００５６】
このとき、押付け座４３のフック状の先端部はプールゲート２０の内壁面と当接し、押付け座４３のガイド４４はプールゲート２０の溝２２ｄｉと噛み合う。
【００５７】
また、このとき、プールゲート落下防止治具３０Ａは、プールゲート２０を下方向に押圧する。これによって、プールゲート２０の支持棒２３が仮置き場１１のゲート仮置き用金具１３に押し付けられる。その結果、プールゲート２０が仮置き場１１に強固に固定される。
【００５８】
＜プールゲート落下防止治具の主な特徴＞
（１）プールゲート落下防止治具３０Ａは、ロッド４１と、押付け座４３と、を備えている。ロッド４１は、プール壁面１２に対向配置される本体部である。押付け座４３は、ゲート仮置き用金具１３に載置されたプールゲート２０の上端部に係合するゲート係合部である。ロッド４１の下端付近には、ゲート仮置き用金具１３を通すための通し孔４６が形成されている。
【００５９】
このようなプールゲート落下防止治具３０Ａは、実施形態１に係るプールゲート落下防止治具３０と同様の作用効果を得ることができる。すなわち、プールゲート落下防止治具３０Ａは、仮に定期検査中に大規模な地震が発生して、プール水のスロッシングの影響で上方向のプール水の荷重がプールゲート２０にかかることがあったとしても、プール水の荷重を受け止めることができる。そのため、プールゲート落下防止治具３０Ａは、プールゲート２０の落下を防止することができる。
【００６０】
また、プールゲート落下防止治具３０Ａは、仮置き場１１を改造することなく、仮置き場１１に取り付ける（設置する）ことができる。そのため、プールゲート落下防止治具３０Ａは、仮置き場１１を改造することによる核燃料破損や作業者被爆のリスクや、費用や手間、時間等のコストを削減することができる。その結果、プールゲート落下防止治具３０Ａは、リスクやコストを抑えながら仮置き場１１（特に既設の原子力発電プラントの仮置き場１１）に取り付けることができる。しかも、プールゲート落下防止治具３０Ａは、原子力発電プラントのオペレーションフロア（作業フロア）から取り付けることができるため、作業者の手間を軽減することができる。
【００６１】
また、プールゲート落下防止治具３０Ａは、簡素な構成であるため、軽量に構成することができる。そのため、作業者は、プールゲート落下防止治具３０Ａを仮置き場１１に容易に取り付けることができる。
【００６２】
（２）プールゲート落下防止治具３０Ａは、ネジ部４１ａと、締付ナット４８と、を備えている。ネジ部４１ａは、ロッド４１の少なくとも上端付近に形成されている。締付ナット４８は、ネジ部４１ａに取り付けられている。押付け座４３は、締付ナット４８の下側の位置で、ネジ部４１ａに沿ってロッド４１の長さ方向に移動可能に配置されている。
【００６３】
このようなプールゲート落下防止治具３０Ａは、締付ナット４８を回転させて下降させることで、プールゲート２０を下方向に押圧して、プールゲート２０の支持棒２３を仮置き場１１のゲート仮置き用金具１３に押し付けることができる。これにより、プールゲート落下防止治具３０Ａは、プールゲート２０を仮置き場１１に強固に固定して、プールゲート２０の落下を防止することができる。
【００６４】
以上の通り、本実施形態２に係るプールゲート落下防止治具３０Ａによれば、実施形態１に係るプールゲート落下防止治具３０と同様に、リスクやコストを抑えながら使用済燃料プール１０の仮置き場１１に置かれたプールゲート２０の落下を防止することができる。
【００６５】
［実施形態３］
＜プールゲート落下防止治具の構成＞
以下、図６及び図７を参照して、本実施形態３に係るプールゲート落下防止治具３０Ｂの構成について説明する。図６は、プールゲート落下防止治具３０Ｂの取付状態を示す概略図である。図７は、プールゲート落下防止治具３０Ｂの構成を示す斜視図である。図７は、プールゲート２０の内壁面に対向する側の面から見たプールゲート落下防止治具３０Ｂの構成を示している。
【００６６】
図６に示すように、使用済燃料プール１０の仮置き場１１には、プールゲート２０の落下を防止するためのプールゲート落下防止治具３０Ｂが取り付けられる。プールゲート落下防止治具３０Ｂは、プールゲート２０の上面と内壁面とに当接する治具である。プールゲート落下防止治具３０Ｂは、好ましくは、金属材によって頑丈に形成されているとよい。
【００６７】
図７に示すように、プールゲート落下防止治具３０Ｂは、上部フレーム５１と、下部フレーム５６と、連結ビーム５９と、を備えている。
【００６８】
上部フレーム５１は、プールゲート２０の上面に当接する下面を有する部材である。
下部フレーム５６は、上部フレーム５１の下側に配置された部材である。
連結ビーム５９は、上部フレーム５１と下部フレーム５６とを連結する連結部材である。
【００６９】
図７に示す例では、プールゲート落下防止治具３０Ｂは、２つの連結ビーム５９で上部フレーム５１と下部フレーム５６とを連結している。各連結ビーム５９は、上部フレーム５１の内壁面（つまり、プールゲート落下防止治具３０Ｂの取付時に仮置き場１１のプール壁面１２（内壁面）と同じ方向に配置される上部フレーム５１の壁面）に連結されている。また、各連結ビーム５９は、下部フレーム５６の上壁面に連結されている。
【００７０】
図７に示す例では、上部フレーム５１は、横長な略矩形の平板形状を呈している。上部フレーム５１のプールゲート２０の取付部２１（図６参照）と対向する位置には、ボルト５２ａ（図６参照）を取り付けるためのゲート固定用孔５２が設けられている。上部フレーム５１の両端部には、ワイヤー１５（図６参照）やチェーン等が取り付けられる吊り用孔５３が設けられている。
【００７１】
下部フレーム５６は、上面視でコ字状の形状を呈している。下部フレーム５６は、横方向の両端のそれぞれに、プールゲート落下防止治具３０Ｂの取付時に仮置き場１１のプール壁面１２（図６参照）の方向に延びるように形成された横方向端部５６ａを有している。上部フレーム５１は、下部フレーム５６の２つの横方向端部５６ａで挟まれた空間の上方の位置に配置されている。下部フレーム５６の各横方向端部５６ａは、受入部５６ｂと、締結ボルト５８と、を有している。
【００７２】
受入部５６ｂは、プールゲート２０の支持棒２３（図６参照）と仮置き場１１のゲート仮置き用金具１３（図６参照）とを受け入れるための部位である。受入部５６ｂは、底部に、仮置き場１１のゲート仮置き用金具１３の下面と当接する金具当て面５７を有している。
【００７３】
締結ボルト５８は、支持棒２３（図６参照）を固定するための固定部である。締結ボルト５８は、受入部５６ｂの上側に設けられている。
【００７４】
＜プールゲート落下防止治具の取付方法＞
以下、図６及び図７を参照して、プールゲート落下防止治具３０Ｂの取付方法について説明する。本実施形態３に係るプールゲート落下防止治具３０Ｂは、プールゲート２０を仮置き場１１に置いた後に、仮置き場１１に取り付けられる（設置される）。ここでは、使用済燃料プール１０とプールゲート２０の構成については、図６を参照し、プールゲート落下防止治具３０Ｂの構成については、図７を参照するものとする。
【００７５】
作業者は、原子力発電プラントの定期検査時に、図示せぬクレーン装置に繋がれたワイヤー１５やチェーン等を使用済燃料プール１０と図示せぬ原子炉ウェルとの間に設置されたプールゲート２０に取り付ける。そして作業者は、クレーン装置を操作してプールゲート２０を吊り下げて使用済燃料プール１０と図示せぬ原子炉ウェルとの間から取り外し、取り外したプールゲート２０を仮置き場１１に一時的に置く。このとき、プールゲート２０の支持棒２３が仮置き場１１のゲート仮置き用金具１３に引っ掛けられて、プールゲート２０がゲート仮置き用金具１３に載置される。
【００７６】
次に、作業者は、図示せぬクレーン装置に繋がれたワイヤー１５やチェーン等をプールゲート落下防止治具３０Ｂの吊り用孔５３に取り付け、クレーン装置を操作してプールゲート落下防止治具３０Ｂを吊り下げる。そして作業者は、ゲート仮置き用金具１３に載置されたプールゲート２０の内壁面に対向する位置にプールゲート落下防止治具３０Ｂを配置し、プールゲート落下防止治具３０Ｂをプールゲート２０の方向に移動させる。このとき、プールゲート２０の支持棒２３と仮置き場１１のゲート仮置き用金具１３がプールゲート落下防止治具３０Ｂの下部フレーム５６の横方向端部５６ａに設けられた受入部５６ｂの中に入る。その結果、仮置き場１１のゲート仮置き用金具１３の下面は、受入部５６ｂの底部に設けられた金具当て面５７に当接する。また、プールゲート落下防止治具３０Ｂの上部フレーム５１の下面がプールゲート２０の上面の上に載る。
【００７７】
次に、作業者は、ボルト５２ａをプールゲート落下防止治具３０Ｂの上部フレーム５１のゲート固定用孔５２とプールゲート２０の取付部２１の取付孔２１ｏｐ（図１参照）とにボルト５２ａを通す。そして作業者は、ボルト５２ａと図示せぬナットとでプールゲート落下防止治具３０Ｂの上部フレーム５１とプールゲート２０の取付部２１を締結する。
【００７８】
次に、作業者は、プールゲート落下防止治具３０Ｂの下部フレーム５６の締結ボルト５８を回転させて下降させる。その結果、締結ボルト５８がプールゲート２０の支持棒２３に当接する。これによって、プールゲート落下防止治具３０Ｂは、受入部５６ｂと締結ボルト５８とで、プールゲート２０の支持棒２３と仮置き場１１のゲート仮置き用金具１３との周囲を封鎖する。また、プールゲート落下防止治具３０Ｂは、受入部５６ｂの底部に設けられた金具当て面５７と締結ボルト５８とで、プールゲート２０の支持棒２３と仮置き場１１のゲート仮置き用金具１３とを挟み込む。その結果、プールゲート２０が仮置き場１１に強固に固定される。
【００７９】
＜プールゲート落下防止治具の主な特徴＞
（１）プールゲート落下防止治具３０Ｂは、プールゲート２０の上面に当接する下面を有する上部フレーム５１と、上部フレーム５１の下側に配置された下部フレーム５６と、上部フレーム５１と下部フレーム５６とを連結する連結ビーム５９と、を備えている。下部フレーム５６は、上面視でコ字状の形状を呈している。下部フレーム５６の横方向端部５６ａは、プールゲート２０の支持棒２３と仮置き場１１のゲート仮置き用金具１３とを受け入れる受入部５６ｂと、支持棒２３を固定する締結ボルト５８と、を有している。
【００８０】
このようなプールゲート落下防止治具３０Ｂは、他の実施形態に係るプールゲート落下防止治具３０，３０Ａと同様の作用効果を得ることができる。すなわち、プールゲート落下防止治具３０Ｂは、仮に定期検査中に大規模な地震が発生して、プール水のスロッシングの影響で上方向のプール水の荷重がプールゲート２０にかかることがあったとしても、プール水の荷重を受け止めることができる。そのため、プールゲート落下防止治具３０Ｂは、プールゲート２０の落下を防止することができる。
【００８１】
また、プールゲート落下防止治具３０Ｂは、仮置き場１１を改造することなく、仮置き場１１に取り付ける（設置する）ことができる。そのため、プールゲート落下防止治具３０Ｂは、仮置き場１１を改造することによる核燃料破損や作業者被爆のリスクや、費用や手間、時間等のコストを削減することができる。その結果、プールゲート落下防止治具３０Ｂは、リスクやコストを抑えながら仮置き場１１（特に既設の原子力発電プラントの仮置き場１１）に取り付けることができる。しかも、プールゲート落下防止治具３０Ｂは、原子力発電プラントのオペレーションフロア（作業フロア）から取り付けることができるため、作業者の手間を軽減することができる。
【００８２】
また、プールゲート落下防止治具３０Ｂは、簡素な構成であるため、軽量に構成することができる。そのため、作業者は、プールゲート落下防止治具３０Ｂを仮置き場１１に容易に取り付けることができる。
【００８３】
（２）締結ボルト５８は、支持棒２３に対して上から当接するように配置されている。
このようなプールゲート落下防止治具３０Ｂは、受入部５６ｂと締結ボルト５８とで、プールゲート２０の支持棒２３と仮置き場１１のゲート仮置き用金具１３との周囲を封鎖する。また、プールゲート落下防止治具３０Ｂは、受入部５６ｂの底部に設けられた金具当て面５７と締結ボルト５８とで、プールゲート２０の支持棒２３と仮置き場１１のゲート仮置き用金具１３とを挟み込む。これにより、プールゲート落下防止治具３０Ｂは、プールゲート２０を仮置き場１１に強固に固定して、プールゲート２０の落下を防止することができる。
【００８４】
（３）上部フレーム５１は、プールゲート２０の上面に設けられた取付部２１にボルト５２ａで固定される。
このようなプールゲート落下防止治具３０Ｂは、プールゲート２０に強固に固定することができる。
【００８５】
以上の通り、本実施形態３に係るプールゲート落下防止治具３０Ｂによれば、他の実施形態に係るプールゲート落下防止治具３０，３０Ａと同様に、リスクやコストを抑えながら使用済燃料プール１０の仮置き場１１に置かれたプールゲート２０の落下を防止することができる。
【００８６】
本発明は、前記した実施形態に限定されるものではなく、様々な変形例が含まれる。例えば、前記した実施形態は、本発明を分かり易く説明するために詳細に説明したものであり、必ずしも説明した全ての構成を備えるものに限定されるものではない。また、実施形態の構成の一部を他の構成に置き換えることが可能であり、また、実施形態の構成に他の構成を加えることも可能である。また、各構成の一部について、他の構成の追加・削除・置換をすることが可能である。
【符号の説明】
【００８７】
１０    使用済燃料プール
１１    仮置き場
１２    プール壁面
１３    ゲート仮置き用金具（載置部）
１４    プールカーブ
１５    ワイヤー
２０    プールゲート
２１    取付部
２１ｏｐ    取付孔
２２    スイングボルト用座
２２ｄｉ    溝
２３    支持棒（突起部）
３０，３０Ａ，３０Ｂ    プールゲート落下防止治具
３１    フレーム（本体部）
３２    吊り金具
３２ｏｐ    取付孔
３３    落下防止用座（プール係合部）
３３ａ    カーブ固定板
３４    スイングボルト（ゲート係合部）
３４ａ    ボルト
３４ｂ    ナット
３４ｃ    スリーブ
３４ｄ    ナット
３５    下部受け座（当接部）
３５ａ    補強板
３６    凹部
４１    ロッド（本体部）
４１ａ    ネジ部
４２    吊り金具
４３    押付け座（ゲート係合部）
４４    ガイド
４５    下部受け座（当接部）
４５ａ    補強板
４６    通し孔
４７    スリーブ
４８    締付ナット（ナット）
４９    スペーサ
５１    上部フレーム
５２    ゲート固定用孔
５２ａ    ボルト
５３    吊り用孔
５６    下部フレーム
５６ａ    横方向端部
５６ｂ    受入部
５７    金具当て面
５８    締結ボルト（固定部）
５９    連結ビーム（連結部材）
【図１】
2020201198.tif 000003
【図２】
2020201198.tif 000004
【図３】
2020201198.tif 000005
【図４】
2020201198.tif 000006
【図５】
2020201198.tif 000007
【図６】
2020201198.tif 000008
【図７】
2020201198.tif 000009